(57)【要約】【課題】送信信号と共に送られてくる付加情報を利用して付加価値を高める。【解決手段】送信装置から付加情報として、受信装置に接続されるコンピュータ上で実行されるコンピュータプログラムＤＣＰが送られてくる。分離部２０６でビットストリーム信号より付加情報に係るスロットのパケットを分離し、そのパケットデータを復号部２１１Ｄに供給して復号化処理をする。復号部２１１Ｄで得られるデータＤＣＰは、制御部２０４を介してディスクドライブ２６１に供給してディスク状記録媒体に記録する。記録したコンピュータプログラムＤＣＰをコンピュータに必要に応じてダウンロードすることで、学習ソフト等を放送番組と同時、あるいは単独で動作させることができ、例えば視聴者がさらなる学習を行い得る環境を容易に構築できる。【選択図】        図６
2007110747.tif 000002
【特許請求の範囲】
【請求項１】
映像情報および音声情報のうち少なくとも何れか一方を含む番組情報を符号化する符号化手段と、
受信装置に接続されるコンピュータ上で実行されるコンピュータプログラムを有する付加情報を符号化する付加情報符号化手段と、
少なくとも、上記符号化手段により符号化された符号化情報と、上記付加情報符号化手段により符号化された付加情報符号化情報とを多重化して送信する送信手段とを備える
ことを特徴とする送信装置。
【請求項２】
上記付加情報符号化手段は、上記番組情報に対応して上記コンピュータを制御するためのコンピュータプログラムを有する付加情報を符号化する
ことを特徴とする請求項１に記載の送信装置。
【請求項３】
番組情報が符号化された符号化情報と付加情報が符号化された付加情報符号化情報とが多重化された特定の放送信号を選局する選局手段と、
上記選局手段により選局された上記特定の放送信号を上記符号化情報と上記付加情報符号化情報に分離する信号分離手段と、
上記符号化情報の復号を行い番組情報を得る番組情報復号手段と、
上記付加情報符号化情報の復号を行い付加情報を得る付加情報復号手段と、
上記付加情報内の、本装置に接続されるコンピュータ上で実行可能なコンピュータプログラムを本装置の内部および外部の少なくとも何れかのメモリ手段に記録する記録制御手段とを備える
ことを特徴とする受信装置。
【請求項４】
上記コンピュータプログラムは、上記番組情報に対応して上記コンピュータを制御する
ことを特徴とする請求項３に記載の受信装置。
【請求項５】
上記コンピュータプログラムはＭＩＤＩフォーマットにコード化された楽譜データである
ことを特徴とする請求項３に記載の受信装置。
【請求項６】
上記コンピュータプログラムは暗号化されている
ことを特徴とする請求項３に記載の受信装置。
【請求項７】
上記記録制御手段は、ディスクドライブに装填されたディスク状記録媒体に対して上記コンピュータプログラムが記録されるように上記ディスクドライブを制御する
ことを特徴とする請求項３に記載の受信装置。
【発明の詳細な説明】
【技術分野】
【０００１】
この発明は、ＩＳＤＢ（Integrated Services Digital Broadcasting）システム等に適用して好適な送信装置および受信装置に関する。詳しくは、例えば送信信号より分離した付加情報に基づいて被制御機器の動作を制御することによって、付加価値を高めるようにした送信装置および受信装置に係るものである。
【背景技術】
【０００２】
ディジタル技術の発展に伴って放送界でも放送信号を含めた各種情報をディジタル化したインタラクティブ形式のＩＳＤＢシステムが提案されている。このＩＳＤＢシステムは、現行の放送信号（標準テレビジョン信号、ハイビジョン信号）を始めとして、ソフトウェアやファクシミリ等のデータ、さらには音声、文字、図形、画像等のマルチメディア情報をそれぞれディジタル化し、それらを統合多重化した上で伝送形態に合致した変調処理を施して送信するようにした放送システムである。
【発明の開示】
【発明が解決しようとする課題】
【０００３】
上述したＩＳＤＢシステムでは、放送信号を含めた各種情報をディジタル化した後に統合多重化して伝送するものであり、圧縮技術等を利用することで伝送帯域を有効利用でき、受信側での制御情報として使用する付加情報をも同時に統合多重化して伝送することも可能となる。
【０００４】
そこで、この発明では、付加情報を送信し、この付加情報を利用して付加価値を高めるようにした送信装置および受信装置を提供するものである。
【課題を解決するための手段】
【０００５】
この発明に係る送信装置は、映像情報および音声情報のうち少なくとも何れか一方を含む番組情報を符号化する符号化手段と、受信装置に接続されるコンピュータ上で実行されるコンピュータプログラムを有する付加情報を符号化する付加情報符号化手段と、少なくとも、上記符号化手段により符号化された符号化情報と、上記付加情報符号化手段により符号化された付加情報符号化情報とを多重化して送信する送信手段とを備えるものである。
【０００６】
また、この発明に係る受信装置は、番組情報が符号化された符号化情報と付加情報が符号化された付加情報符号化情報とが多重化された特定の放送信号を選局する選局手段と、上記選局手段により選局された上記特定の放送信号を上記符号化情報と上記付加情報符号化情報に分離する信号分離手段と、上記符号化情報の復号を行い上記番組情報を得る番組情報復号手段と、上記付加情報符号化情報の復号を行い上記付加情報を得る付加情報復号手段と、上記付加情報内の、本装置に接続されるコンピュータ上で実行可能なコンピュータプログラムを本装置の内部および外部の少なくとも何れかのメモリ手段に記録する記録制御手段とを備えるものである。
【０００７】
この発明において、送信装置では、映像情報および音声情報のうち少なくとも何れか一方を含む番組情報と、受信装置に接続されるコンピュータ上で実行されるコンピュータプログラムを有する付加情報が符号化されたのち多重化して放送信号として送信される。受信装置では、特定の放送信号を選局して、選局した放送信号から番組情報が符号化された符号化情報と付加情報が符号化された付加情報符号化情報とが分離される。さらに、付加情報符号化情報を復号化して得た付加情報内のコンピュータプログラムが、内部および外部の少なくとも何れかのメモリ手段に記録される。このメモリ手段に記録されたコンピュータプログラムをコンピュータに必要に応じてダウンロードすることで、例えば番組内容に対応したプログラムの実行が可能となる。
【発明の効果】
【０００８】
この発明によれば、番組情報と受信装置に接続されるコンピュータ上で実行されるコンピュータプログラムを有する付加情報が符号化されたのち多重化して放送信号として送信される。また、特定の放送信号を選局して、選局した放送信号から分離した付加情報符号化情報を復号化して得た付加情報内のコンピュータプログラムが、内部および外部の少なくとも何れかのメモリ手段に記録される。このため、メモリ手段に記録されたコンピュータプログラムをコンピュータに必要に応じてダウンロードすることで、学習ソフト等を放送番組と同時、あるいは単独で動作させることができ、例えば視聴者がさらなる学習を行い得る環境を容易に構築できる。
【発明を実施するための最良の形態】
【０００９】
この発明の実施の形態を図面を参照して説明する。図１は送信装置１００の構成を示している。
【００１０】
図１に示す送信装置１００は、第１〜第ｎ系統のテレビジョン信号を構成する映像信号Ｖ１〜Ｖｎおよび音声信号Ａ１〜Ａｎに対して圧縮等を含めた適切な符号化処理を行うため符号器１０１−１〜１０１−ｎと、付加情報ＡＩに対して同様に適切な符号化処理を行うための符号器１０２とを有している。
【００１１】
また、図１に示す送信装置１００は、符号器１０１−１〜１０１−ｎ，１０２より出力される符号化データに対してそれぞれ大きさの統一したパケットを得るパケット化処理を行うためのパケットエンコーダ１０３−１〜１０３−ｎ，１０４を有している。図示せずも、１個のパケットはパケットデータとその先頭に付加されたパケットヘッダで構成される。パケットヘッダはパケットデータを識別するためのものである。パケットエンコーダ１０３−１〜１０３−ｎで生成されるパケットのパケットヘッダには、放送局識別情報（放送局ＩＤ）、番組識別情報（番組ＩＤ）、放送時間情報、タイムコード等の情報が含まれる。また、パケットエンコーダ１０４で生成されるパケットのパケットヘッダには、付加情報ＡＩのパケットである旨の情報等が含まれる。
【００１２】
また、図１に示す送信装置１００は、パケットエンコーダ１０３−１〜１０３−ｎ，１０４より出力される複数スロットのパケットを多重化してビットストリーム信号（多重化データ）を得るための多重化部１０５と、この多重化部１０５より出力されるビットストリーム信号を送信手段（本形態では放送衛星）に適した変調方式で変調処理をするためのディジタル変調回路１０６と、このディジタル変調回路１０６より出力される変調データを送信周波数帯の周波数に変換するためのアップコンバータ１０７と、このアップコンバータ１０７の出力信号を放送衛星に向けて送信するための送信アンテナ１０８とを有している。
【００１３】
以上の構成において、複数系統のテレビジョン信号（映像信号Ｖ１〜Ｖｎおよび音声信号Ａ１〜Ａｎ）は、それぞれ符号器１０１−１〜１０１−ｎで符号化処理された後にパケットエンコーダ１０３−１〜１０３−ｎに供給されてパケット化処理される。また、付加情報ＡＩは、符号器１０２で符号化処理された後にパケットエンコーダ１０４に供給されてパケット化処理される。
【００１４】
また、パケットエンコーダ１０３−１〜１０３−ｎ，１０４より出力されるパケットは多重化部１０５に複数スロットのパケットとして並列的に供給されて多重化されてビットストリーム信号（多重化データ）が形成される。このビットストリーム信号はディジタル変調回路１０６で変調処理された後にアップコンバータ１０７で例えば１４ＧＨｚ帯の信号とされて送信アンテナ１０８より放送衛星に向けて送信される。
【００１５】
図２は、送信装置１００から送信されてくる付加情報ＡＩが明るさ制御データＤＣＬである場合の受信装置２００の構成を示している。ここで、明るさ制御データＤＣＬは、上述した第１〜第ｎ系統のテレビジョン信号の全部または一部に対応したものであって、テレビジョン信号による画像や音声の視聴時における照明装置の明るさを制御するためのデータである。この明るさ制御データＤＣＬには、どのテレビジョン信号に係るものであるかを識別するための識別情報が付加されている。
【００１６】
図２に示す受信装置２００は、放送衛星より送信されてくる１２ＧＨｚ帯の放送信号を受信するための受信アンテナ２０１と、この受信アンテナ２０１で受信された１２ＧＨｚ帯の信号を１ＧＨｚ帯の信号に変換するためのダウンコンバータ２０２と、このダウンコンバータ２０２の出力信号が供給されると共に、所望の放送信号を選択するための選局処理およびディジタル復調処理を行うチューナ２０３と、マイクロコンピュータ（マイコン）を有して構成され、システム全体を制御するための制御部２０４とを有している。チューナ２０３における選局動作は制御部２０４によって制御される。制御部２０４にはキー操作部２０５が接続されており、視聴者（ユーザ）はこのキー操作部２０５によって選局操作を行うことができる。チューナ２０３からは選局された放送信号に係るビットストリーム信号（複数スロットのパケットの多重化データ）が出力される。
【００１７】
また、図２に示す受信装置２００は、チューナ２０３より出力されるビットストリーム信号より、パケットヘッダの情報に基づいて、第１〜第ｎ系統のテレビジョン信号に係るスロットのうち所定スロット（以下、「第１のスロット」という）のパケットを分離すると共に、付加情報ＡＩに係るスロット（以下、「第２のスロット」という）のパケットを分離するための分離部２０６を有している。分離部２０６における第１のスロットの選択は、ユーザのキー操作部２０５の操作に基づき、制御部２０４の制御によって行われる。
【００１８】
また、図２に示す受信装置２００は、分離部２０６で分離される第１のスロットのパケットを構成するパケットデータに対して復号化処理をして映像信号ＳＶおよび音声信号ＳＡを得るための復号部２０７と、この復号部２０７より出力される映像信号ＳＶによる画像を表示するためのモニタディスプレイ２０８と、復号部２０７より出力される音声信号ＳＡを増幅するためのアンプ２０９と、このアンプ２０９より出力される音声信号ＳＡによる音声を出力するためのスピーカ２１０とを有している。
【００１９】
また、図２に示す受信装置２００は、分離部２０６で分離される第２のスロットのパケットを構成するパケットデータに対して復号化処理をして明るさ制御データＤＣＬを得るための復号部２１１を有している。この復号部２１１より得られる明るさ制御データＤＣＬは制御部２０４に供給されて内蔵メモリ２０４ｍに格納される。制御部２０４は、復号部２１１より供給される明るさ制御データＤＣＬに基づいて、室内の照明装置２２０の明るさを制御する機能を有する。
【００２０】
すなわち、制御部２０４は、視聴者のキー操作部２０５の操作で明るさ制御モードに設定されている場合であって、かつ復号部２１１より供給される明るさ制御データＤＣＬが第１のスロットのテレビジョン信号に係るものである場合、その明るさ制御データＤＣＬに基づいて照明装置２２０の明るさを制御するための制御信号ＳＣＬを作成して出力する。なお、復号部２１１より供給される明るさ制御データＤＣＬが第１のスロットに係るものであるか否かの判断は、明るさ制御データＤＬＣに含まれる上述した識別情報に基づいて行われる。
【００２１】
以上の構成において、視聴者のキー操作部２０５の操作に基づき、制御部２０４の制御によってチューナ２０３で選局が行われ、このチューナ２０３より選局された放送信号に係るビットストリーム信号が出力されて分離部２０６に供給される。そして、分離部２０６では視聴者のキー操作部２０５の操作に基づき制御部２０４の制御によってビットストリーム信号より第１のスロットのパケットが分離され、その分離されたパケットを構成するパケットデータが復号部２０７に順次供給されて復号化処理が行われて映像信号ＳＶおよび音声信号ＳＡが得られる。そして、映像信号ＳＶがモニタディスプレイ２０８に供給されて画像が表示されると共に、音声信号ＳＡがアンプ２０９で増幅されてスピーカ２１０に供給されて音声が出力される。
【００２２】
また、分離部２０６ではビットストリーム信号より第２のスロットのパケットが分離され、その分離されたパケットを構成するパケットデータが復号部２１１に順次供給されて復号化処理が行われて明るさ制御データＤＣＬが得られ、この明るさ制御データＤＣＬが制御部２０４に供給されて内蔵メモリ２０４ｍに格納される。視聴者のキー操作部２０５の操作で明るさ制御モードに設定されている場合、明るさ制御データＤＣＬが第１のスロットのテレビジョン信号に係るものであるときは、制御部２０４ではその明るさ制御データＤＣＬに基づいて制御信号ＳＣＬが作成される。そして、この制御信号ＳＣＬが照明装置２２０に供給され、照明装置２２０の明るさがモニタディスプレイ２０８に表示される画像やスピーカ２１０より出力される音声に応じて制御される。
【００２３】
このように図２の受信装置２００においては、送信装置１００より付加情報ＡＩとして送信されてくる明るさ制御データＤＣＬに基づき、表示画像や出力音声に応じて室内の照明装置２２０の明るさを自動的に制御でき、画像や音声の視聴効果を高めることができる。例えば、テレビジョン信号による画像や音声が「恐怖シーン」のものである場合には、照明装置の明るさをおとすように制御でき、恐怖心をかきたてることができる。
【００２４】
次に、図３は、送信装置１００から送信されてくる付加情報ＡＩが天気予報情報ＤＷＦである場合の受信装置２００Ａの構成を示している。この天気予報情報ＤＷＦは、例えば「午後１時から雨が降る」等の情報であってコード化された情報である。この図３において、図２と対応する部分には同一符号を付し、その詳細説明は省略する。
【００２５】
図３に示す受信装置２００Ａは、図２に示す受信装置２００と同様に、受信アンテナ２０１と、ダウンコンバータ２０２と、チューナ２０３と、分離部２０６と、復号部２０７と、モニタディスプレイ２０８と、アンプ２０９と、スピーカ２１０とを有している。
【００２６】
また、図３に示す受信装置２００Ａは、マイコンを有して構成されると共にシステム全体を制御するための制御部２０４Ａを有している。制御部２０４Ａにはキー操作部２０５Ａが接続される。チューナ２０３における選局動作は、視聴者のキー操作部２０５Ａの操作に基づき、制御部２０４Ａによって制御される。また、分離部２０６における第１のスロットの選択は、視聴者のキー操作部２０５Ａの操作に基づき、制御部２０４Ａによって制御される。
【００２７】
また、図３に示す受信装置２００Ａは、分離部２０６で分離される第２のスロットのパケットを構成するパケットデータに対して復号化処理をして天気予報情報ＤＷＬを得るための復号部２１１Ａを有している。この復号部２１１Ａより得られる天気予報情報ＤＷＦは制御部２０４Ａに供給されて内蔵メモリ２０４ｍに格納される。制御部２０４Ａは、復号部２１１Ａより供給される天気予報情報ＤＷＦに基づいて、住宅の窓２３１を開閉駆動するための窓開閉駆動部２３２を制御する機能を有する。すなわち、制御部２０４Ａは、視聴者のキー操作部２０５Ａの操作で窓開閉モードに設定されている場合、復号部２１１Ａより供給される天気予報情報ＤＷＦに基づいて窓開閉駆動部２３２を制御するための制御信号ＳＷＦを作成して出力する。
【００２８】
以上の構成において、チューナ２０３で選局された放送信号に係るビットストリーム信号より分離部２０６で第１のスロットのパケットが分離され、そのパケットのパケットデータが復号部２０７に供給されて第１のスロットのテレビジョン信号を構成する映像信号ＳＶおよび音声信号ＳＡが得られる。そして、モニタディスプレイ２０８には映像信号ＳＶによる画像が表示され、スピーカ２１０からは音声信号ＳＡによる音声が出力される。このような画像表示および音声出力の動作は図２に示す受信装置２００の動作と同様である。
【００２９】
また、分離部２０６ではビットストリーム信号より第２のスロットのパケットが分離され、その分離されたパケットを構成するパケットデータが復号部２１１Ａに順次供給されて復号化処理が行われて天気予報情報ＤＷＦが得られ、この天気予報情報ＤＷＦが制御部２０４Ａに供給されて内蔵メモリ２０４ｍに格納される。そして、視聴者のキー操作部２０５Ａの操作で窓開閉モードに設定されている場合には、制御部２０４Ａでは天気予報情報ＤＷＦに基づいて制御信号ＳＷＦが作成され、この制御信号ＳＷＦが窓開閉駆動部２３２に供給されて窓２３１の開閉が制御される。例えば、天気予報情報ＤＷＦが「午後１時から雨が降る」という情報であるときは、午後１時となる直前に制御部２０４Ａより窓開閉駆動部２３２に窓２３１を閉めるように制御する制御信号ＳＷＦが供給される。
【００３０】
このように図３の受信装置２００Ａにおいては、送信装置１００より付加情報ＡＩとして送信されてくる天気予報情報ＤＷＦに基づき、住宅の窓２３１の開閉を自動的に制御でき、付加価値を高めることができる。
【００３１】
次に、図４は、送信装置１００から送信されてくる付加情報ＡＩが地震警報情報ＤＥＱおよび避難経路データ（画像データ）ＤＲＦである場合の受信装置２００Ｂの構成を示している。地震警報情報ＤＥＦは、例えば「午前１０時頃に地震が起こる」等の情報であってコード化された情報である。この図４において、図２と対応する部分には同一符号を付し、その詳細説明は省略する。
【００３２】
図４に示す受信装置２００Ｂは、図２に示す受信装置２００と同様に、受信アンテナ２０１と、ダウンコンバータ２０２と、チューナ２０３と、分離部２０６と、復号部２０７と、モニタディスプレイ２０８と、アンプ２０９と、スピーカ２１０とを有している。
【００３３】
また、図４に示す受信装置２００Ｂは、マイコンを有して構成されると共にシステム全体を制御するための制御部２０４Ｂを有している。制御部２０４Ｂにはキー操作部２０５Ｂが接続される。チューナ２０３における選局動作は、視聴者のキー操作部２０５Ｂの操作に基づき、制御部２０４Ｂによって制御される。また、分離部２０６における第１のスロットの選択は、視聴者のキー操作部２０５Ｂの操作に基づき、制御部２０４Ｂによって制御される。
【００３４】
また、図４に示す受信装置２００Ｂは、分離部２０６で分離される第２のスロットのパケットを構成するパケットデータに対して復号化処理をして地震警報情報ＤＥＱおよび避難経路データＤＲＦを得るための復号部２１１Ｂと、この復号部２１１Ｂより得られる避難経路データＤＲＦをディスク状記録媒体に対して記録再生するためのディスクドライブ２１２とを有している。復号部２１１Ｂで得られる地震警報情報ＤＥＱは制御２０４Ｂに供給されて内蔵メモリ２０４ｍに供給されて格納される。復号部２１１Ｂで得られる避難経路データＤＲＦは制御部２０４Ｂを介してディスクドライブ２１２に供給されてディスク状記録媒体に記録される。
【００３５】
制御部２０４Ｂは、復号部２１１Ｂより供給される地震警報情報ＤＥＱに基づいて、ガスの元栓２４１を開閉駆動するためのガス元栓開閉駆動部２４２を制御する機能を有する。すなわち、制御部２０４Ｂは、視聴者のキー操作部２０５Ｂの操作でガス元栓開閉モードに設定されている場合、復号部２１１Ｂより供給される地震警報情報ＤＥＱに基づいてガス元栓開閉駆動部２４２を制御するための制御信号ＳＥＱを作成して出力する。
【００３６】
また、図４に示す受信装置２００Ｂは、画像メモリ（グラフィックメモリ）を有すると共に、ディスクドライブ２１２でディスク状記録媒体より再生される避難経路データＤＲＦに基づいて避難経路を表示する画像信号を形成するための画像信号発生部２１３と、復号部２０７より出力される映像信号ＳＶまたは画像信号発生部２１３より出力される画像信号ＳＲＦを選択的に出力する選択回路２１４とを有している。
【００３７】
画像信号発生部２１３の動作は制御部２０４Ｂによって制御される。画像信号発生部２１３には、ディスクドライブ２１２でディスク状記録媒体より再生された避難経路データＤＲＦが制御部２０４Ｂを介して供給され、これにより画像信号ＳＲＦが形成される。また、選択回路２１４の選択動作は制御部２０４Ｂによって制御される。すなわち、選択回路２１４は、復号部２１１Ｂより制御部２０４Ｂに地震警報情報ＤＥＱが供給された後の地震警報状態では画像信号ＳＲＦを選択するように制御され、それ以外の通常状態では映像信号ＳＶを選択するように制御される。モニタディスプレイ２０８には選択回路２１４の出力信号が供給され、その出力信号による画像が表示される。
【００３８】
なお、地震警報情報ＤＥＱが供給されて選択回路２１４で画像信号ＳＲＦが選択されている場合、キー操作部２０５Ｂを操作することで、選択回路２１４で映像信号ＳＶが選択されるように切換可能とされる。
【００３９】
以上の構成において、チューナ２０３で選局された放送信号に係るビットストリーム信号より分離部２０６で第１のスロットのパケットが分離され、そのパケットのパケットデータが復号部２０７に供給されて第１のスロットのテレビジョン信号を構成する映像信号ＳＶおよび音声信号ＳＡが得られる。そして、復号部２０７より出力される音声信号ＳＡはアンプ２０９を介してスピーカ２１０に供給され、このスピーカ２１０より音声信号ＳＡによる音声が出力される。そして、通常状態では、復号部２０７より出力される映像信号ＳＶが選択回路２１４を通じてモニタディスプレイ２０８に供給され、このモニタディスプレイ２０８には映像信号ＳＶによる画像が表示される。
【００４０】
また、分離部２０６ではビットストリーム信号より第２のスロットのパケットが分離され、その分離されたパケットを構成するパケットデータが復号部２１１Ｂに順次供給されて復号化処理が行われる。そして、復号部２１１Ｂより地震警報情報ＤＥＱおよび避難経路データＤＲＦが得られる場合には、以下のように動作する。すなわち、復号部２１１Ｂより出力される地震警報情報ＤＥＱは制御部２０４Ｂに供給されて内蔵メモリ２０４ｍに格納される。また、復号部２１１Ｂより出力される避難経路データＤＲＦは制御部２０４Ｂを介してディスクドライブ２１２に供給されてディスク状記録媒体に記録される。
【００４１】
制御部２０４Ｂでは地震警報情報ＤＥＱに基づいて地震発生予定時刻の直前に制御信号ＳＥＱが作成され、この制御信号ＳＥＱがガス元栓開閉駆動部２４２に供給されてガスの元栓２４１が自動的に閉められる。
【００４２】
また、制御部２０４Ｂの制御に基づき、ディスクドライブ２１２ではディスク状記録媒体より避難経路データＤＲＦが再生され、この避難経路データＤＲＦは制御部２０４Ｂを介して画像信号発生部２１３に供給される。そして、画像信号発生部２１３では避難経路データＤＲＦに基づいて避難経路を表示するための画像信号ＳＲＦが形成される。上述したように制御部２０４Ｂに復号部２１１Ｂより地震警報情報ＤＥＱが供給された後の地震警報状態では、選択回路２１４が画像信号ＳＲＦを選択するように制御される。そのため、画像信号発生部２１３より出力される画像信号ＳＲＦが選択回路２１４を介してモニタディスプレイ２０８に供給され、このモニタディスプレイ２０８には画像信号ＳＲＦによる避難経路が表示される。
【００４３】
このように図４の受信装置２００Ｂにおいては、送信装置１００より付加情報ＡＩとして送信されてくる地震警報情報ＤＥＱに基づき、地震発生予定時刻の直前にガスの元栓２４１を自動的に閉めることができ、火災や爆発事故を未然に防ぐことができる。また、地震警報状態では、送信装置１００より付加情報として送信されてくる避難経路データＤＲＦに基づき、モニタディスプレイ２０８に通常放送画像に代えて避難経路を表示でき、視聴者は地震警報が出されたこと、さらには避難経路を即座に確認できる。
【００４４】
なお、図４の受信装置２００Ｂでは、送信装置１００より付加情報として送信されてくる避難経路データＤＲＦに基づいてモニタディスプレイ２０８に避難経路を表示するものであったが、例えば予めディスク状記録媒体に記録されている避難経路データをディスクドライブ２１２で再生し、この避難経路データに基づいてモニタディスプレイ２０８に避難経路を表示するようにしてもよい。
【００４５】
また、図４に受信装置２００Ｂでは、地震警報情報ＤＥＱに基づいて、ガスの元栓２４１を制御するようにしたものであるが、その他に地震によって火災や事故につながる電気器具、例えば暖房器具等の電源スイッチを切るように制御するようにしてもよい。また、図４の受信装置２００Ｂでは、地震警報状態になってもスピーカ２１０より放送音声が出力されるものであるが、この放送音声に代えて地震警報が出されたことを知らせる警告音が出力されるようにしてもよい。
【００４６】
次に、図５は、送信装置１００から送信されてくる付加情報ＡＩが椅子を移動制御するための体感データＤＢＳである場合の受信装置２００Ｃの構成を示している。この図５において、図２と対応する部分には同一符号を付し、その詳細説明は省略する。
【００４７】
体感データＤＢＳは、上述した第１〜第ｎ系統のテレビジョン信号の全部または一部に対応したものであって、テレビジョン信号による画像や音声の視聴時に椅子を移動制御するためのデータである。この体感データＤＢＳにはどのテレビジョン信号に係るものであるかを識別するための識別情報が付加されている。また、体感データＤＢＳは、３次元のｘ方向、ｙ方向、ｚ方向の各軸を中心として回転移動をさせるための角速度データｄθｘ，ｄθｙ，ｄθｚおよび変位角データθｘ，θｙ，θｚと、前後方向（ｙ方向）に直線移動させるための速度データｄＬおよび変位データＬで構成される。
【００４８】
図５に示す受信装置２００Ｃは、図２に示す受信装置２００と同様に、受信アンテナ２０１と、ダウンコンバータ２０２と、チューナ２０３と、分離部２０６と、復号部２０７と、モニタディスプレイ２０８と、アンプ２０９と、スピーカ２１０とを有している。
【００４９】
また、図５に示す受信装置２００Ｃは、マイコンを有して構成されると共にシステム全体を制御するための制御部２０４Ｃを有している。制御部２０４Ｃにはキー操作部２０５Ｃが接続される。チューナ２０３における選局動作は、視聴者のキー操作部２０５Ｃの操作に基づき、制御部２０４Ｃによって制御される。また、分離部２０６における第１のスロットの選択は、視聴者のキー操作部２０５Ｃの操作に基づき、制御部２０４Ｃによって制御される。
【００５０】
また、図５に示す受信装置２００Ｃは、分離部２０６で分離される第２のスロットのパケットを構成するパケットデータに対して復号化処理をして体感データＤＢＳを得るための復号部２１１Ｃを有している。復号部２１１Ｃで得られる体感データＤＢＳは制御部２０４Ｃに供給されて内蔵メモリ２０４ｍに格納される。
【００５１】
制御部２０４Ｃは、復号部２１１Ｃより供給される体感データＤＢＳに基づいて、椅子２５０をｘ方向の軸を中心として回転移動させるためのｘ軸回転駆動部２５１ｘ、椅子２５０をｙ方向の軸を中心として回転移動させるためのｙ軸回転駆動部２５１ｙ、椅子２５０をｚ方向の軸を中心として回転移動させるためのｚ軸回転駆動部２５１ｚ、椅子２５０を前後方向（ｙ方向）に移動させるための前後方向駆動部２５２を制御する機能を有する。
【００５２】
すなわち、制御部２０４Ｃは、視聴者のキー操作部２０５Ｃの操作で体感モードに設定されている場合であって、かつ復号部２１１Ｃより供給される体感データＤＢＳが第１のスロットのテレビジョン信号に係るものである場合、その体感データＤＢＳに基づいて駆動部２５１ｘ，２５１ｙ，２５１ｚ，２５２をそれぞれ制御するための制御信号ＳＢＳａ，ＳＢＳｂ，ＳＢＳｃ，ＳＢＳｄを作成して出力する。なお、復号部２１１Ｃより供給される体感データＤＢＳが第１のスロットに係るものであるか否かの判断は、体感データＤＢＳに含まれる上述した識別情報に基づいて行われる。
【００５３】
制御信号ＳＢＳａ，ＳＢＳｂ，ＳＢＳｃは、それぞれ角速度データｄθｘ，ｄθｙ，ｄθｚで示される角速度で、かつ変位角データθｘ，θｙ，θｚで示される角度だけ椅子２５０をｘ軸、ｙ軸、ｚ軸を中心として回転移動させるように駆動部２５１ｘ，２５１ｙ，２５１ｚの動作を制御するための信号である。また、ＳＢＳｄは、椅子２５０を速度データｄＬで示される速度で、かつ変位データＬで示される距離だけ椅子２５０を前後方向に移動させるように駆動部２５２の動作を制御するための信号である。
【００５４】
以上の構成において、チューナ２０３で選局された放送信号に係るビットストリーム信号より分離部２０６で第１のスロットのパケットが分離され、そのパケットのパケットデータが復号部２０７に供給されて第１のスロットのテレビジョン信号を構成する映像信号ＳＶおよび音声信号ＳＡが得られる。そして、モニタディスプレイ２０８には映像信号ＳＶによる画像が表示され、スピーカ２１０からは音声信号ＳＡによる音声が出力される。このような画像表示および音声出力の動作は図２に示す受信装置２００の動作と同様である。
【００５５】
また、分離部２０６ではビットストリーム信号より第２のスロットのパケットが分離され、その分離されたパケットを構成するパケットデータが復号部２１１Ｃに順次供給されて復号化処理が行われて体感データＤＢＳが得られ、この体感データＤＢＳが制御部２０４Ｃに供給されて内蔵メモリ２０４ｍに格納される。視聴者のキー操作部２０５Ｃの操作で体感モードに設定されている場合、体感データＤＢＳが第１のスロットのテレビジョン信号に係るものであるときは、制御部２０４Ｃではその体感データＤＢＳに基づいて制御信号ＳＢＳａ，ＳＢＳｂ，ＳＢＳｃ，ＳＢＳｄが作成される。そして、この制御信号ＳＢＳａ，ＳＢＳｂ，ＳＢＳｃ，ＳＢＳｄが駆動部２５１ｘ，２５１ｙ，２５１ｚ，２５２に供給され、椅子２５０のｘ方向、ｙ方向、ｚ方向の各軸を中心とする回転移動および前後方向（ｙ方向）の直線移動がモニタディスプレイ２０８に供給される画像やスピーカ２１０より出力される音声に応じて制御される。
【００５６】
このように図５の受信装置２００Ｃにおいては、送信装置１００より付加情報ＡＩとして送信されてくる体感データＤＢＳに基づき、表示画像や出力音声に応じて椅子２５０の移動を自動的に制御でき、椅子２５０に座った視聴者の体感と表示画像や出力音声との一体化を図ることができる。例えば、表示画像がジェットコースターであって、このジェットコースターが左に傾いたときは、椅子２５０は左に傾くように回転移動され、椅子２５０に座った視聴者はジェットコースターの動きを体感できる。
【００５７】
なお、図５の受信装置２００Ｃでは、椅子２５０の直線移動は前後方向（ｙ方向）のみ可能であるが、左右方向（ｘ方向）や上下方向（ｚ方向）にも直線移動制御が行われるようにしてもよい。これにより、一層リアルな体感を得ることが可能となる。
【００５８】
次に、図６は、送信装置１００から送信されてくる付加情報ＡＩがコンピュータプログラムＤＣＰである場合の受信装置２００Ｄの構成を示している。この図６において、図２と対応する部分には同一符号を付し、その詳細説明は省略する。
【００５９】
コンピュータプログラムＤＣＰは、上述した第１〜第ｎ系統のテレビジョン信号の全部または一部に対応したものである。このコンピュータプログラムＤＣＰにはどのテレビジョン信号に係るものであるかを識別するための識別情報が付加されている。
【００６０】
図６に示す受信装置２００Ｄは、図２に示す受信装置２００と同様に、受信アンテナ２０１と、ダウンコンバータ２０２と、チューナ２０３と、分離部２０６と、復号部２０７と、モニタディスプレイ２０８と、アンプ２０９と、スピーカ２１０とを有している。
【００６１】
また、図６に示す受信装置２００Ｄは、マイコンを有して構成されると共にシステム全体を制御するための制御部２０４Ｄを有している。制御部２０４Ｄにはキー操作部２０５Ｄが接続される。チューナ２０３における選局動作は、視聴者のキー操作部２０５Ｄの操作に基づき、制御部２０４Ｄによって制御される。また、分離部２０６における第１のスロットの選択は、視聴者のキー操作部２０５Ｄの操作に基づき、制御部２０４Ｄによって制御される。
【００６２】
また、図６に示す受信装置２００Ｄは、分離部２０６で分離される第２のスロットのパケットを構成するパケットデータに対して復号化処理をしてコンピュータプログラムＤＣＰを得るための復号部２１１Ｄと、この復号部２１１Ｄより得られコンピュータプログラムＤＣＰをディスク状記録媒体に対して記録再生するためのディスクドライブ２６１とを有している。復号部２１１Ｄで得られるコンピュータプログラムＤＣＰは制御部２０４Ｄを介してディスクドライブ２６１に供給されてディスク状記録媒体に記録される。ここで、ディスクドライブ２６１は、受信装置本体内、あるいは外部に設けられる。
【００６３】
以上の構成において、チューナ２０３で選局された放送信号に係るビットストリーム信号より分離部２０６で第１のスロットのパケットが分離され、そのパケットのパケットデータが復号部２０７に供給されて第１のスロットのテレビジョン信号を構成する映像信号ＳＶおよび音声信号ＳＡが得られる。そして、モニタディスプレイ２０８には映像信号ＳＶによる画像が表示され、スピーカ２１０からは音声信号ＳＡによる音声が出力される。このような画像表示および音声出力の動作は図２に示す受信装置２００の動作と同様である。
【００６４】
また、分離部２０６ではビットストリーム信号より第２のスロットのパケットが分離され、その分離されたパケットを構成するパケットデータが復号部２１１Ｄに順次供給されて復号化処理が行われてコンピュータプログラムＤＣＰが得られ、このコンピュータプログラムＤＣＰは制御部２０４Ｄを介してディスクドライブ２６１に供給されてディスク状記録媒体に記録される。
【００６５】
この状態で、制御部２０４Ｄにインタフェースを通じて接続されたパーソナルコンピュータ（以下、「パソコン」という）２６２より、識別情報（ファイル名等）を指定することで、コンピュータプログラムをダウンロードすることができ、パソコン２６２で実行させることで、学習ソフト等を放送番組と同時、あるいは単独で動作させることができる。例えば、教育番組を放送する場合、放送内容に関連した教育用のコンピュータプログラムＤＣＰを付加情報ＡＩとして伝送することで、視聴者がパソコン２６２上でさらなる学習を行い得る環境を構築できる。
【００６６】
例えば、英会話の番組に対応して、コンピュータプログラムＤＣＰとして英会話の発音チェック用のコンピュータプログラムを伝送するものとする。なお、パソコン２６２として音声入力装置を持つものが使用される。この場合、視聴者がモニタディスプレイ２０８に表示される綴に従って発音することで、正しい発音がされたかどうかをチェックさせ、その結果をパソコン２６２のディスプレイに表示し、あるいは音声出力するようにできる。また例えば、数学の教育番組に対応して、コンピュータプログラムＤＣＰとして練習問題の提示、答の添削等のコンピュータプログラムを伝送するものとする。この場合、放送時間内で画像や音声で伝えきれない要素を伝えることができる等、充分な学習効果を上げることができる。さらに、音楽番組において、コンピュータプログラムＤＣＰとしてＭＩＤＩ（music instrument digital interface）のフォーマットにコード化された楽譜データを伝送することで、パソコン２６２でコンピュータミュジックを実現できる。
【００６７】
なお、上述したディスクドライブ２６１のディスク状記録媒体の記録内容は、パソコン２６２で消去したり、あるいは一定時間が過ぎたものは古いものからオーバーライトして消去することで、ある一定の容量内に収まるように制御できる。また、上述したように送信装置１００側より送られてくる付加情報ＡＩとしてのコンピュータプログラムＤＣＰは、何らかの方式で暗号化されていてもかまわない。この場合は、契約視聴者のみに解読キーが与えられこととなる。
【００６８】
このように図６の受信装置２００Ｄにおいては、送信装置１００より付加情報ＡＩとして送信されてくるコンピュータプログラムＤＣＰをディスクドライブ２６１のディスク状記録媒体に記録でき、パソコン２６２にダウンロードして、学習ソフト等を放送番組と同時、あるいは単独で動作させることができ、例えば視聴者がパソコン２６１上でさらなる学習を行い得る環境を容易に構築できる。
【００６９】
なお、上述実施の形態においては、パケット化された付加情報ＡＩをパケット化されたテレビジョン信号と多重化して受信側に伝送するようにしたものであるが、付加情報ＡＩをテレビジョン信号のブランキング期間に多重化して受信側に伝送するようにしてもよい。また、上述した付加情報は一例であって、それに限定されるものでないことは勿論である。
【図面の簡単な説明】
【００７０】
【図１】送信装置の構成を示すブロック図である。
【図２】付加情報が明るさ制御データである場合の受信装置の構成を示すブロック図である。
【図３】付加情報が天気予報情報である場合の受信装置の構成を示すブロック図である。
【図４】付加情報が地震警報情報等である場合の受信装置の構成を示すブロック図である。
【図５】付加情報が体感データである場合の受信装置の構成を示すブロック図である。
【図６】付加情報がコンピュータプログラムである場合の受信装置の構成を示すブロック図である。
【符号の説明】
【００７１】
１００・・・送信装置、１０１−１〜１０１−ｎ，１０２・・・符号器、１０３−１〜１０３−ｎ，１０４・・・パケットエンコーダ、１０５・・・多重化部、１０６・・・ディジタル変調回路、１０７・・・アップコンバータ、１０８・・・送信アンテナ、２００，２００Ａ〜２００Ｄ・・・受信装置、２０１・・・受信アンテナ、２０２・・・ダウンコンバータ、２０３・・・チューナ、２０４，２０４Ａ〜２０４Ｄ・・・制御部、２０６・・・分離部、２０７，２１１，２１１Ａ〜２１１Ｄ・・・復号部、２０８・・・モニタディスプレイ、２１０・・・スピーカ、２１２・・・ディスクドライブ、２１３・・・画像信号発生部、２１４・・・選択回路、２２０・・・照明装置、２３１・・・窓、２３２・・・窓開閉駆動部、２４１・・・ガスの元栓、２４２・・・ガス元栓開閉駆動部、２５０・・・椅子、２５１ｘ・・・ｘ軸回転駆動部、２５１ｙ・・・ｙ軸回転駆動部、２５１ｚ・・・ｚ軸回転駆動部、２５２・・・前後方向駆動部、２６１・・・ディスクドライブ、２６２・・・パーソナルコンピュータ
【図１】
2007110747.tif 000003
【図２】
2007110747.tif 000004
【図３】
2007110747.tif 000005
【図４】
2007110747.tif 000006
【図５】
2007110747.tif 000007
【図６】
2007110747.tif 000008